(57)【要約】【課題】従来のサイズのまま、遊技場におけるセキュリティを向上させることができる遊技機を提供する。【解決手段】パチンコ遊技機１０におけるロック機構１０６は、本体部１０２に設けられたロック片１１０と、扉１０４に設けられた前記ロック片１１０に係入されることにより扉１０４を施錠し、ロック片１１０から脱することにより扉１０４を開錠にする変位可能なロック体１１２と、扉１０４に設けられ、扉１０４が施錠又は開錠されているか否かの検知を行う開錠検知センサ１３２と、を備えたものであり、この開錠検知センサ１３２は、投光部１５２と、受光部１５４と、ロック体１１２の一部又はロック体１１２の変位を追随して変位する反射部１２６ｇと、を備えたものである。投光部１５２から発せられる光線を受光部１５４により受光されるか否かにより、反射部１２６ｇの動作の検知を行い、反射部１２６ｇに動作の検知の結果に基づいて、扉１０４の開錠を検知可能とする。【選択図】　　図５
2004041671.tif 000002
【特許請求の範囲】
【請求項１】
本体部と、当該本体部に装着された装着体と、前記装着体を前記本体部に装着させた状態で施錠するロック機構と、を備え、投入された遊技媒体に基づいて、遊技状態が遊技の開始が可能な状態に移行され、当該遊技の結果に応じて遊技者に遊技媒体を還元し得る遊技を行う遊技機であって、
前記ロック機構は、前記本体部若しくは前記装着体のいずれか一方に設けられた係止部と、
前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、
前記本体部若しくは前記装着体のいずれか一方に設けられた投光部と、
前記本体部若しくは前記装着体のいずれか一方に設けられた受光部と、
前記ロック体の変位に追随して変位する被検知部と、を備え、
前記投光部から発せられる光線を前記受光部により受光されるか否かにより、前記被検知部の動作の検知を行い、当該被検知部の動作の検知の結果に基づいて、前記装着体が前記本体部に施錠又は開錠されたことを検知可能とすることを特徴とする遊技機。
【請求項２】
前記被検知部は、前記ロック体と一体に構成されていることを特徴とする請求項１記載の遊技機。
【請求項３】
請求項１又は２記載の遊技機は、情報の送受信を行う通信部と、
前記受光部における受光の結果に基づいて、前記装着体が前記本体部に施錠された又は開錠された旨の開錠情報を前記通信部に送信させる前記通信制御部と、を備えたことを特徴とする遊技機。
【請求項４】
本体部と、当該本体部に装着された装着体と、当該装着体を前記本体部に装着させた状態で施錠するロック機構と、を備え、投入された遊技媒体に基づいて、遊技状態が遊技の開始が可能な状態に移行され、当該遊技の結果に応じて遊技者に遊技媒体を還元し得る遊技を行う遊技機を制御するサーバであって、
前記遊技機におけるロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備えたものであり、かつ、
前記サーバは、情報を記憶する記憶部と、前記装着体が前記本体部に施錠された又は開錠された旨の開錠情報を前記記憶部に記憶させる開錠情報制御部と、を備え、前記記憶部に前記開錠情報が記憶されたときには、前記装着体が前記本体部に施錠された又は開錠された旨の報知を行うことを特徴とするサーバ。
【発明の詳細な説明】
【０００１】
【発明の属する技術分野】
本発明は、パチンコ遊技機、スロット遊技機、メダル遊技機等の遊技機及びサーバに関するものである。
【０００２】
【従来の技術】
一般に遊技機では、投入された遊技球、遊技メダル等、遊技媒体に基づく遊技結果に応じて遊技者に付与するための遊技媒体を還元し得る遊技が行われ、加えて遊技者の期待感を高め、遊技の楽しさを増大させるような演出が行われる。
【０００３】
このような遊技は、遊技者の手の届かない筐体内部に備えられた制御基板により制御されている。遊技機は、本体部と、その本体部に回動自在に軸着された扉と、扉を閉じた状態で施錠させるロック機構と、を備えている。
【０００４】
また、制御基板に装着されたＲＯＭを入れかえる等の不正を防止するために、本体部には投光体及び受光体のいずれかを設け、扉には、本体部に設けられていない投光体及び受光体のいずれかを設け、扉の開放を検知するように構成した遊技機が考案されている。尚、近代の技術革新により、このような投光体と受光体とからなる光学式の検知センサは、安価、かつ、小型であり、製品のサイズを大きくすることなく内蔵できるのである。
【０００５】
一方、遊技機とは異なる製品でも不正を防止するという観点から、これまでにも、いくつかの装置が提案されている。扉を開放するためのロック体が変位したことを検知する検知センサと、その検知に基づいてその旨を報知する報知手段と、ダイヤルから入力された暗証番号の照合を行い、その照合の結果に基づいて扉を開放する暗証番号照合手段と、を備えたように構成した公衆電話機が提案されている（例えば、特許文献１）。
【０００６】
また、２つの扉を設けることにより、破壊されるおそれもなく、更には、扉を２度も開放させなければならない二重構造の自動取引装置の筐体構造が提案されている（例えば、特許文献２）。
【０００７】
【特許文献１】
特開平７−５８８８４号公報（第３−４頁、第１図）
【特許文献２】
特開２００２−３２８１８号公報（第３−４頁、第１図）
【０００８】
【発明が解決しようとする課題】
しかしながら、このような遊技機において、扉が閉鎖している状態では、その扉の位置にある程度の幅が設けてあるので、扉が多少変位することがあり、センサの位置に多少のずれが生じ、誤動作するおそれがある。このように、誤動作が生じた場合には、不正が行われていないことに関わらず、扉が開放された旨の報知を行うことにより、遊技場の係員は、その報知の行われた遊技機に急いで向かわなければならず、煩雑である。また、誤動作が生じると遊技場の係員に意識されている遊技機では、実際に扉が開放された場合においても、誤動作が生じたという意識があり、素早く行動を起こすことができず、不正を行った遊技者を捕まえる可能性が低下する。
【０００９】
また、遊技場で、遊技機を叩いたり、蹴ったりする遊技者が存在し、その衝撃により、誤動作するだけでなく、投光センサ、受光センサの位置がずれることもある。更には、長年に渡り遊技機を使用することにより扉の開閉を繰り返し行うこととなり、その衝撃により投光センサ、受光センサの位置がずれる可能性がある。これらのセンサの位置がずれることにより、扉の開閉を正常に検知することができなくなり、センサの位置調整を行わなければならない。また、この位置調整は、製造工程の調整作業と同じように容易なものではなく、遊技場の管理者が行うことができない場合には、メーカに対して修理に出さなければならず、煩雑である。また、上述した衝撃により、又は、無理に位置調節を行うことにより、製品の寿命を縮めることになりかねない。
【００１０】
特に、治安の悪い地域の遊技場に設置される遊技機においては、遊技機を叩いたり、蹴ったりする遊技者はもちろんのこと、レンチ、ハンマ等各種の道具を用いて扉を抉じ開けようと試みる遊技者が存在し、検知センサの位置がずれる可能性が高まり、より一層煩雑である。
【００１１】
また、扉を開いたことを検知した後では、不正を行った遊技者を捕まえることは容易ではなく、より早いタイミングで不正を検知し、その不正を行った遊技者を捕まえることが望まれている。
【００１２】
また、上述した公報に記載された製品では、内部に貯蓄されているものが金銭であるため、厳重な仕掛けを講じなければならず、ひいては製品の大型化も止むを得なかったが、遊技機においては、遊技媒体が貯蓄され、遊技制御基板が内蔵されていることに留まっている。それに加えて、上述した公報に記載された製品は、従業員等がいない無人化された場所に設置されることを想定して設計されているが、遊技機においては、従業員等がいる比較的安全な遊技場に設置されることを想定して設計しなければならない。
【００１３】
このため、上述した公報に記載された製品と同じような厳重な仕組みを遊技機に設けることは大袈裟であり、従来の遊技機よりもサイズが大きくなるおそれがある。そして、このようなサイズの大きな遊技機を設置するためには、遊技場に設置スペースを設けなくてはならず、費用がかかるため、導入されにくい傾向がある。また、遊技機のサイズが大きくなることにより、遊技場全体に設置できる遊技機の台数が減少してしまい、その遊技機を導入した遊技場に足を運ぶ多くの遊技者の全てを満足させることができない。
【００１４】
本発明は、上述した如き課題に鑑みてなされたものであり、従来のサイズのまま、遊技場におけるセキュリティを向上させることができる遊技機を提供することを目的とする。
【００１５】
【課題を解決するための手段】
以上のような目的を達成するために、本発明の遊技機におけるロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備え、前記投光部から発せられる光線を前記受光部により受光されるか否かにより、前記被検知部の動作の検知を行い、当該被検知部の動作の検知の結果に基づいて、前記装着体が前記本体部に施錠又は開錠されたことを検知可能とすることを特徴とする。
【００１６】
より具体的には、本発明は、以下のようなものを提供する。
【００１７】
（１）　本体部と、当該本体部に装着された装着体と、前記装着体を前記本体部に装着させた状態で施錠するロック機構と、を備え、投入された遊技媒体に基づいて、遊技状態が遊技の開始が可能な状態に移行され、当該遊技の結果に応じて遊技者に遊技媒体を還元し得る遊技を行う遊技機であって、前記ロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備え、前記投光部から発せられる光線を前記受光部により受光されるか否かにより、前記被検知部の動作の検知を行い、当該被検知部の動作の検知の結果に基づいて、前記装着体が前記本体部に施錠又は開錠されたことを検知可能とすることを特徴とする遊技機。
【００１８】
（１）の発明によれば、「前記ロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備え、前記投光部から発せられる光線を前記受光部により受光されるか否かにより、前記被検知部の動作の検知を行い、当該被検知部の動作の検知の結果に基づいて、前記装着体が前記本体部に施錠又は開錠されたことを検知可能とする」ので、装着体、例えば、扉が多少変位しても、検知センサが扉の開錠又は施錠を検知するため、誤動作を生ずる可能性を低下させ、高い確率で不正を防止することができ、セキュリティを高めることができる。また、遊技場の係員にとっての煩雑な作業が少なくなる。更には、不正を行った遊技者を捕まえる可能性が高まる。
【００１９】
また、多少、遊技機を叩いたり、蹴ったりしても、その衝撃により、検知センサが誤動作することが少なく、投光センサ、受光センサの位置がずれることも少なくなる。これにより、位置調節等、煩雑な作業をすることなく、セキュリティを高めることができる。また、上述した衝撃により、又は、無理に位置調節を行うことにより、製品の寿命を縮める可能性は低下する。
【００２０】
（２）　前記被検知部は、前記ロック体と一体に構成されていることを特徴とする（１）記載の遊技機。
【００２１】
（２）の発明によれば、「前記被検知部は、前記ロック体と一体に構成されている」ので、「被検知部」と「ロック体」とを一体に設けても、別個に設けても上述した効果が得られるが、「被検知部」と「ロック体」とを一体に設けることにより、組立作業がより一層容易となるとともに、耐久性が向上する。
【００２２】
（３）　（１）又は（２）記載の遊技機は、情報の送受信を行う通信部と、前記受光部における受光の結果に基づいて、前記装着体が前記本体部に施錠された又は開錠された旨の開錠情報を前記通信部に送信させる前記通信制御部と、を備えたことを特徴とする遊技機。
【００２３】
（３）の発明によれば、「（１）又は（２）記載の遊技機は、情報の送受信を行う通信部と、前記受光部における受光の結果に基づいて、前記装着体が前記本体部に施錠された又は開錠された旨の開錠情報を前記通信部に送信させる前記通信制御部と、を備えた」ので、集中管理ができ、遊技場の管理者は素早い対応ができ、不正をしている遊技者を捕まえるケースが増加する。
【００２４】
もちろん、「映像又は音声或いは電飾にて所定の報知が可能な報知部」と、「前記受光部における受光の結果に基づいて、前記本体部に施錠された又は開錠された旨の報知を遊技者に対して前記報知部に行わせる報知制御部」と、を備えた遊技機であってもよいが、サーバのみに不正が行われた旨の通知が行われた場合には、不正をしている遊技者に知られることがないため、不正をしている遊技者を確実に捕まえることができる。
【００２５】
また、「情報を記憶する記憶部」と、「前記受光部における受光の結果に基づいて、前記装着体が前記本体部に施錠された又は開錠された旨の開錠情報を前記記憶部に記憶させる開錠情報記憶制御部」と、を備えた遊技機では、開錠情報が記憶されているため、遊技者が不正を行った証拠を残すことができる。
【００２６】
また、「前記投光部及び前記受光部は、反射式の光学式センサ」であってもよく、配線処理、組立処理、メンテナンス処理等、煩雑な組立作業、調整作業をすることなく優れた品質の遊技機が提供できる。これは、一般的の反射型光学式センサは、投光センサと受光センサとを一体に設けられていることが多くあるため、投光センサと受光センサとの位置調節をする必要がなく、本体部若しくは扉に対し、単に位置決めをすることのみでよく、容易に作業を行うことができる。
【００２７】
（４）　本体部と、当該本体部に装着された装着体と、当該装着体を前記本体部に装着させた状態で施錠するロック機構と、を備え、投入された遊技媒体に基づいて、遊技状態が遊技の開始が可能な状態に移行され、当該遊技の結果に応じて遊技者に遊技媒体を還元し得る遊技を行う遊技機を制御するサーバであって、前記遊技機におけるロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備えたものであり、かつ、前記サーバは、情報を記憶する記憶部と、前記装着体が前記本体部に施錠された又は開錠された旨の開錠情報を前記記憶部に記憶させる開錠情報制御部と、を備え、前記記憶部に前記開錠情報が記憶されたときには、前記装着体が前記本体部に施錠された又は開錠された旨の報知を行うことを特徴とするサーバ。
【００２８】
（４）の発明によれば、「前記遊技機におけるロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備えたものであり、かつ、前記サーバは、情報を記憶する記憶部と、前記装着体が前記本体部に施錠された又は開錠された旨の開錠情報を前記記憶部に記憶させる開錠情報制御部と、を備え、前記記憶部に前記開錠情報が記憶されたときには、前記装着体が前記本体部に施錠された又は開錠された旨の報知を行う」ので、遊技場の管理者は、扉が開放されることの検知を行うのではなく、扉が開放される前に行われる扉の開錠した場合、即ち、ロック体の変位が行われた場合には、その旨の検知を行うため、安全性がより一層高まる。
【００２９】
また、このサーバを用いることにより、集中管理ができ、遊技場の管理者は素早い対応ができ、不正をしている遊技者を捕まえるケースが増加する。
【００３０】
更には、サーバにおける記憶部に開錠情報が記憶されたことを契機に、通信回線網を通じて、サーバ以外の携帯電話、ノートパソコン、ＰＤＡ、ポケットベル等、持ち運びの便利な携帯端末装置に報知することにより、不正行為を行っている遊技者を、遊技場にいる係員により即座に捕まえることができる。
【００３１】
また、携帯端末装置以外にも、サーバの設置された遊技場を除く第三機関に報知することにより、結果として警察に報知するというような機能を有することにより、遊技場の負担を軽減することもできる。特に、治安の悪い地域にある遊技場では、遊技場の管理者、係員では太刀打ちができないこともあり、警察の力が必要となり、自動的に報知を行うことで不正の防止、不正を行った遊技者を捕まえる時間を早めることができる。
【００３２】
【発明の実施の形態】
以下に、本発明の好適な実施形態について図面に基づいて説明する。
【００３３】
図１は本発明に係る遊技機を用いた構成を示すブロック図である。
【００３４】
この図１に示す如く、インターネット、専用回線、プロバイダ、音声通信局、及び、携帯電話機用基地局、衛星通信局等からなる通信回線網であるネットワークＮＴには、パチンコ遊技機１０、管理サーバ８０が接続可能となっており、パチンコ遊技機１０と通信可能に接続されている。これにより、管理サーバ８０は、後述する如く、パチンコ遊技機１０からの開錠情報等、各種の情報を受信することができる。
【００３５】
尚、本実施形態においては、遊技機の一例としてパチンコ遊技機を示すが、本発明はこれに限らず、例えば、スロット遊技機、メダル遊技機等であってもよく、遊技球、遊技メダル等遊技媒体を投入することにより遊技が開始される遊技機であればすべて対象になる。
【００３６】
また、このネットワークＮＴには、端末装置９６Ａ、９６Ｂ、．．．．．．が接続されており、管理サーバ８０からネットワークを介して通信することができる。これにより、管理サーバ８０から端末装置９６Ａ、９６Ｂ、．．．．．．に対して、開錠された旨の通知をすることができる。
【００３７】
尚、この端末装置９６Ａ、９６Ｂ、．．．．．．は、例えば、携帯電話９６Ａ、ＰＤＡ９６Ｂ、ポケットベル、ノート型パーソナルコンピュータ等の携帯性の優れた機器であると好適である。更には、この端末装置９６Ａ、９６Ｂ、．．．．．．は、携帯性の優れたものであれば、遊技場内で用いるものに限らず、遊技場外の巡回員等にも通知することができる。
【００３８】
更には、このネットワークＮＴには、外部サーバ８１が接続されており、管理サーバ８０からネットワークを介して通信することができる。これにより、管理サーバ８０から外部サーバ８１に対して、開錠された旨の通知をすることができる。
【００３９】
尚、この外部サーバ８１としては、遊技場の管理者や、遊技場の管理者を除く第三機関（警察、メーカ、パチンコ組合等）に、その旨を通知するために設けられている。
【００４０】
更にまた、これらの装置のアクセス方法としては、パチンコ遊技機１０、管理サーバ８０、外部サーバ８１、各端末装置９６Ａ、９６Ｂ、．．．．．．とインターネット等のネットワークＮＴ（プロバイダのホストコンピュータ）との間は、ＴＣＰ／ＩＰプロトコル群で作成したパケットのやり取りをダイヤルアップＰＰＰ（Ｐｏｉｎｔ−ｔｏ−Ｐｏｉｎｔ　Ｐｒｏｔｏｃｏｌ）接続を利用して行う。これにより、パチンコ遊技機１０、外部サーバ８１、各端末装置９６Ａ、９６Ｂ、．．．．．．は管理サーバ８０から種々の提供情報を入手することができる。更には、電子情報を更新する際には、ＦＴＰ（Ｆｉｌｅ　Ｔｒａｎｓｆｅｒ　Ｐｒｏｔｏｃｏｌ）を採用している。
【００４１】
尚、この通信には、各種の通信方式が用いることができ、例えば、携帯電話機９６Ａの場合には、ＴＤＭＡ（Ｔｉｍｅ　Ｄｉｖｉｓｉｏｎ　Ｍｕｌｔｉｐｌｅ　Ａｃｃｅｓｓ）方式や、ＣＤＭＡ（Ｃｏｄｅ　Ｄｉｖｉｓｉｏｎ　Ｍｕｌｔｉｐｌｅ　Ａｃｃｅｓｓ）方式等、デジタル方式の電波を用いて音声データを供給するものが主流となっており、これらの電波は、各地に点在する基地局を介して、管理サーバ８０に接続される。
【００４２】
また、本実施形態では、図１に示すように構成したが、本発明はこれに限らず、管理サーバ８０、外部サーバ８１を、機能別に二以上のサーバとして構成したものであってもよく、これらのサーバを一体に構成したものであってもよい。
【００４３】
［パチンコ遊技機の構成］
パチンコ遊技機１０の概観を示す正面図を図２に示す。
【００４４】
パチンコ遊技機１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６と、前面から見て本体枠１２の四隅に設けられたスピーカー４６（４６ａ〜４６ｄ）と、が配置されている。
【００４５】
更には、遊技盤１４の前面には複数の障害釘（図示せず）が打ちこまれている。尚、釘を打ち込むような構成とせず、遊技盤１４を樹脂素材で成形し、この樹脂素材の遊技盤１４に金属製の棒状体を遊技盤１４の前方向に突出するように植設する構成としてもよく、上述した如き構成したパチンコ遊技機１０（パチコン機）にも本発明を適用することができ、更には、遊技球が入力されるメダル遊技機にも適用することができる。尚、本明細書においては、パチンコ遊技機１０とは、パチコン機をも含む概念である。
【００４６】
このようなパチンコ遊技機１０は、後述する如く、本体部１０２（図４参照）と、扉１０４（図４参照）とから構成されており、その扉１０４を本体部１０２に固定するために用いられる鍵穴３１が窓枠１６の外側右方に設けられている。この鍵穴３１は、所定の鍵を挿脱自在にするものであり、その所定の鍵を挿入し、回動させることにより、その後方に設けられたロック機構１０６（図４参照）を変位させ、開錠若しくは施錠を行うこととなる。尚、本実施形態においては、固定式の扉１０４を用いたパチンコ遊技機１０であったが、本発明はこれに限らず、本体部に対して着脱自在な扉を備えた遊技機であってもよい。
【００４７】
尚、本実施形態においては、鍵を用いて扉を開放状態、閉鎖状態にさせるロック機構１０６を備えたものであったが、本発明はこれに限らず、認証カードを挿脱自在とした認証溝等を設けた電子制御のロック機構を備えたものであってもよい。
【００４８】
更にまた、発射ハンドル２６は本体枠１２に対して回動自在に設けられており、遊技者は発射ハンドル２６を操作することによりパチンコ遊技を進めることができるのである。発射ハンドル２６の裏側には、発射モータ２８が設けられている。
【００４９】
更にまた、発射ハンドル２６の周縁部には、タッチセンサ２９が設けられている。遊技者の手がタッチセンサ２９に触れたときには、タッチセンサ２９から触接検出信号が発せられ、この信号が発せられたことにより遊技者が発射ハンドル２６を握持したとされるのである。発射ハンドル２６が遊技者によって握持され、かつ、時計回り方向へ回動操作されたときには、その回動角度に応じて発射モータ２８に電力が供給され、上皿２０に貯留された遊技球が遊技盤１４に順次発射される。
【００５０】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００５１】
遊技盤１４を拡大した拡大正面図を図３に示す。尚、上述した図２に示した構成要素と対応する構成要素には同一の符号を付した。また、図３は、上述した障害釘について省略したものを示した。
【００５２】
遊技盤１４の前面の略中央には、後述する如き表示部である表示装置３２が設けられている。表示装置３２の上部の中央には、表示装置５２が設けられている。この表示装置５２は、例えば７セグメント表示器で構成されており、表示情報である普通図柄が、変動と停止とを繰り返すように可変表示される。
【００５３】
表示装置３２の左右の側部には、球通過検出器５５（５５ａ及び５５ｂ）が設けられている。この球通過検出器５５（５５ａ及び５５ｂ）は、その近傍を遊技球が通過したことを検出したときには、上述した表示装置５２において、普通図柄の変動表示が開始され、所定の時間経過した後、普通図柄の変動表示が停止する。この普通図柄は、数字や記号等からなる情報であり、例えば「０」から「９」までの数字や「☆」等の記号である。
【００５４】
この普通図柄が所定の図柄、例えば「７」となって停止して表示されたときには、後述する始動口４４の左右の両側に設けられている可動片５８（５８ａ及び５８ｂ）を駆動するためのソレノイド５７（図８参照）に電流を供給し、始動口４４に遊技球が入りやすくなるように可動片５８（５８ａ及び５８ｂ）を駆動し、始動口４４を開放状態となるようにする。尚、始動口４４を開放状態とした後、所定の時間が経過したときには、可動片を駆動し始動口４４を閉鎖状態として、遊技球が入りにくくなるようにするのである。
【００５５】
上述した表示装置５２の左右の両側には４つの保留ランプ３４（３４ａ〜３４ｄ）が設けられている。これらの保留ランプ（３４ａ〜３４ｄ）は、遊技者の操作により遊技球が始動口４４に入球されたことにより、遊技球が始動口４４に入球したことがストックされた場合には、そのストックされている内部抽選データの数に基づいて点灯されることとなるのである。
【００５６】
また、遊技盤１４の下部には、遊技球の大入賞口３８が設けられている。この大入賞口３８の近傍には、シャッタ４０が開閉自在に設けられている。シャッタ４０は後述する大当たり状態になったときには開放状態となるようにソレノイド４８により駆動される。尚、シャッタ４０は、後述する如く、大当たり状態に移行した場合には、所定のタイミングで開閉を行う。また、この大入賞口３８は、その左右両側面に開口が設けられており、それらの開口の各々には、後述する球検知センサ４２（図８参照）が備えられている。
【００５７】
上述した表示装置５２の上部には一般入賞口５０が設けられており、表示装置３２の左右の両側には一般入賞口５４ａ及び５４ｂが設けられている。更に、表示装置３２の下部の左右の両側には一般入賞口５４ｃ及び５４ｄが設けられている。また、遊技盤１４の左右の端部には、特別入賞口５６ａ及び５６ｂが設けられ、大入賞口３８の左右の両側には、特別入賞口５６ｃ及び５６ｄが設けられている。
【００５８】
また、遊技球を入球させることにより、後述する可変表示ゲームが開始されて表示装置３２に表示される複数の図柄、例えば３つの識別情報である図柄を変動表示状態に移行する始動口４４が設けられている。
【００５９】
更に、シャッタ４０の下方には排出口５３が設けられており、上述した大入賞口３８、始動口４４、一般入賞口５４ａ〜５４ｄ及び特別入賞口５６ａ〜５６ｄに遊技球が入賞しなかった遊技球がこの排出口５３から排出される。
【００６０】
また、上述した大入賞口３８、始動口４４、一般入賞口５４ａ〜５４ｄ、特別入賞口５６ａ〜５６ｄ及び排出口５３には、それぞれ入球された遊技球を算出するべく、球検知センサ４２が設けられている。
【００６１】
上述した大入賞口３８、始動口４４、一般入賞口５４ａ〜５４ｄ及び特別入賞口５６ａ〜５６ｄに遊技球が入賞したときには、入賞口の種類に応じて遊技球が下皿２２に払い出されるようになされている。また、後述する如く、大入賞口３８に遊技球が入球した場合では、遊技状況に応じて払い出される遊技球の数が変化する。
【００６２】
更にまた、表示装置３２の左右の両側には、遊技球の経路を所定の方向に誘導するための転動誘導部材５９ａ及び５９ｂも設けられている。また、遊技盤１４の外側の上左側と上右側とには装飾ランプ３６（３６ａ及び３６ｂ）が設けられている。
【００６３】
尚、上述した表示装置３２において後述する演出画像を表示する部分は、液晶ディスプレイパネルからなるものであってもブラウン管からなるものであってもよい。また、上述した実施形態においては、表示装置３２は、遊技機であるパチンコ遊技機１０の遊技盤１４の前面の略中央に設けられている場合を示したが、遊技者が見得るような位置であれば遊技機の何処の位置に表示装置３２を設けることとしてもよい。
【００６４】
［パチンコ遊技機　扉開放時］
図４は、扉を開放したパチンコ遊技機１０を示す概略図を示す。
【００６５】
パチンコ遊技機１０は、図４に示す如く、本体部１０２と扉１０４とで構成されている。本体部１０２には、後述する主制御回路６０（図８参照）等を内蔵させるための凹部１０８が設けられており、その凹部１０８を扉１０４が外側に露呈しないように覆うこととなる。また、扉１０４は、図４に示す如く、正面から見て左側で本体部１０２と軸着されており、その軸着された部分を中心として回動自在となっている。尚、本実施形態においては、扉１０４側に基板等を設置したが、本発明はこれに限らず、本体部１０２側に設けてもよい。
【００６６】
また、ロック機構１０６は、本体部１０２に設けられたロック片１１０と、扉１０４に設けられた被ロック部１１２と、を備えたものであり、このロック片１１０が、被ロック部１１２に係入することにより、扉１０４が凹部１０８を覆う状態で、即ち、扉１０４が閉じた状態で固定されることとなる。
【００６７】
尚、「本体部１０２」は、請求項に記載された「本体部」に相当し、「扉１０４」は、請求項に記載された「装着体」に相当し、「ロック片１１０」は、請求項に記載された「係止部」に相当する。
【００６８】
また、本実施形態におけるパチンコ遊技機１０では、本体部１０２にロック片１１０を、扉１０４に被ロック部１１２を、設け、ロック片１１０が被ロック部１１２に係入することにより扉１０４が閉じた状態で固定されたロック機構１０６であったが、本発明はこれに限らず、単に扉１０４が閉じた状態で固定されるものであればよく、例えば、本体部１０２に被ロック部１１２を設け、扉１０４にロック片１１０を設けてもよく、更には、ロック部と、ロック孔と、を備えたロック機構であってもよい。また、本実施形態におけるパチンコ遊技機１０では、ロック片１１０が被ロック部１１２に係入することにより扉１０４が閉じた状態で固定されたが、本発明はこれに限らず、係止されるものであれば問題ない。
【００６９】
［機構部品］
図５は、上述したロック機構１０６を示す概略図である。
【００７０】
本実施形態におけるロック機構１０６は、ロック片１１０、前面カバー（図示せず）、背面カバー１３６（図６参照）、ベース板１２２、動力伝達板１２４、固定板１２６、引張コイルバネ１２８、押圧板１３０、開錠検知センサ１３２、鍵機構１４０、ナット１４２から構成されている。
【００７１】
ベース板１２２は、金属性薄板であり、上述した前面カバー及び背面カバーに固定される。このベース板１２２は、正面から見て右側に円形の開口１２２ａ及び１２２ｂが設けられており、動力伝達板１２４及び固定板１２６を回動自在に固定する。
【００７２】
また、ベース板１２２の中央には、開口１２２ｃが設けられている。この開口１２２ｃの後方には、開錠検知センサ１３２が設置されており、後述する如く、固定板１２６が変位することにより、固定板１２６に設けられた反射部１２６ｇがこの開口１２２ｃを覆うか否かが決定され、それにより、開錠検知センサ１３２が開錠した旨を検知するか否かが変化することとなる。更には、ベース板１２２の右端には、切り欠１２２ｄが設けられており、上述したロック片１１０が係入されることにより、扉１０４を固定する。
【００７３】
動力伝達板１２４は、上方から見てＬ字形状の金属製薄板である。この動力伝達板１２４は、その一端に開口１２４ａを備えており、ベース板１２２の開口１２２ｂに回動自在に固着される。
【００７４】
また、動力伝達板１２４の上方には、切り欠１２４ｂが形成されており、後述する如く、固定板１２６の係合突起１２６ｂと係合することとなる。これにより、引張コイルバネ１２８の弾性力に反して、固定板１２６を回動することなく、固定することとなる。
【００７５】
更には、動力伝達板１２４の前面には、バネ受け部１２４ｃが突設されており、引張コイルバネ１２８の一端を接続することとなる。
【００７６】
更にまた、動力伝達板１２４の一端には、被押圧部１２４ｄが設けられており、その被押圧部１２４ｄが押圧板１３０の押圧部１３０ｂに押圧されることにより、引張コイルバネ１２８の弾性力に反して動力伝達板１２４を、開口１２４ａを中心として回動させることとなる。
【００７７】
固定板１２６は、金属製薄板であり、ロック片１１０を固定するためのものである。この固定板１２６の中央には、開口１２６ａが設けられており、ベース板１２２の開口１２２ａに回動自在に固着される。
【００７８】
また、固定板１２６の下端には、係合突起１２６ｂが形成されており、上述した切欠き１２４ｂに係合することにより、引張コイルバネ１２８の弾性力に反して、固定板１２６を回動しないように固定される。
【００７９】
更には、固定板１２６の下端には、切欠き１２６ｃが形成されており、その切欠き１２６ｃの縁部１２６ｄ及び１２６ｅにより、ロック片１１０を固定させ、扉１０４を閉じた状態で固定することとなる。
【００８０】
更にまた、固定板１２６の一端前面には、バネ受け部１２６ｆが突設されており、引張コイルバネ１２８の一端を接続することとなる。
【００８１】
更にまた、固定板１２６の一端には、反射部１２６ｇが設けられている。この固定板１２６の反射部１２６ｇが開口１２２ｃを覆っている場合には、後述する如く、開口１２２ｃの後方に設けられた開錠検知センサ１３２から投光される光線が反射され開錠されていないことを検知する。一方、この固定板１２６が回動することにより、開口１２２ｃが露呈され、開錠検知センサ１３２から投光される光線が反射されることなく、開錠されたことを検知する。
【００８２】
尚、この「ベース板１２２」及び「切欠き１２６ｃ」は、請求項に記載された「ロック体」に相当し、「反射部１２６ｇ」は、請求項に記載された「被検知部」に相当する。
【００８３】
引張コイルバネ１２８は、引張式のコイルバネであり、その両端を、上述したバネ受け部１２４ｃ及び１２６ｆに引っ掛けることにより、動力伝達板１２４及び固定板１２６に動力が伝えられる。
【００８４】
後述する如く、鍵機構１４０が施錠された状態では、引張コイルバネ１２８は、動力伝達板１２４を正面から見て時計周りに、固定板１２６を正面から見て時計回りと逆方向に弾性力を加えることとなるが、係合突起１２６ｂが切欠き１２４ｂに係合されているため、図７（Ａ）に示す如く、動力伝達板１２４及び固定板１２６を回動させることはない。
【００８５】
一方、鍵機構１４０が開錠されている状態では、引張コイルバネ１２８は、係合突起１２６ｂが切欠き１２４ｂに係合されないため、図７（Ｃ）に示す如く、固定板１２６を正面から見て時計回りと逆方向に弾性力を加えることとなり、固定板１２６を回動させることとなる。
【００８６】
尚、本実施形態においては、引張コイルバネを用いたが、本発明はこれに限らず、圧縮コイルバネ、ねじりコイルバネ等のコイルバネ、弾性を有するワイヤ片、薄板バネでもよく、更には、弾性を有するゴムを用いてもよい。
【００８７】
押圧板１３０は、金属製薄板であり、その一端には、開口１３０ａが設けられている。この押圧板１３０は、その開口１３０ａを、後述する如く、鍵機構１４０の螺合部１４０ａが貫通されることとなる。また、その開口１３０ａの周縁部にその螺合部１４０ａが係合することにより、開口１３０ａを中心として回動することとなる。尚、この押圧板１３０は、ナット１４２により固定されている。また、押圧板１３０の一端には、押圧部１３０ｂが形成されており、押圧板１３０が回動されることにより、動力伝達板１２４が回動することとなる。
【００８８】
また、ベース板１２２の開口１２２ｃの背面には、背面カバーの開口１３６ａが設けられている。そして、この開口１３６ａの背面には、開錠検知センサ１３２が備えられている。この開錠検知センサ１３２は、その前面に開口１３２ａが設けられており、その開口１３２ａを覆うことにより、開錠の検知を行うこととなる。また、開錠検知センサ１３２の背面には、ケーブル１３２ｂが接続されており、開錠された旨の開錠信号を、後述する主制御回路６０に供給するとともに、この開錠検知センサ１３２に電源を供給することとなる。
【００８９】
尚、本実施形態における開錠検知センサ１３２は、開錠した旨を検知したが、本発明はこれに限らず、開錠した状態を検知するものであってもよく、更には、施錠した状態、若しくは、施錠した旨を検知するものであってもよい。
【００９０】
更にまた、鍵機構１４０は、その前面に鍵穴３１を形成したものであり、図２に示す如く、前面カバーの開口１３４ａから露呈するように設置される。また、この鍵機構１４０の背面には、螺合部１４０ａが突設されており、押圧板１３０の開口１３０ａを挿入するとともに、背面からナット１４２を螺合させることにより、押圧板１３０を挟持することとなる。これにより、この鍵穴３１から所定の鍵が挿入され、回動されることにより、螺合部１４０ａが回動し、押圧板１３０を回動させることとなる。
【００９１】
このように、「前記被検知部は、前記ロック体と一体に構成されている」ので、「被検知部」と「ロック体」とを一体に設けても、別個に設けても上述した効果が得られるが、「被検知部」と「ロック体」とを一体に設けることにより、組立作業がより一層容易となるとともに、耐久性が向上するのである。
【００９２】
［開錠検知センサ］
図６は、上述した開錠検知センサ１３２を示す断面図である。
【００９３】
この開錠検知センサ１３２は、図６（Ａ）に示す如く、投光部１５２と、受光部１５４と、実装基板１５６と、遮光性を有する遮光ケース１５８と、を備えている。実装基板１５６には、投光部１５２と、受光部１５４と、上述したケーブル１３２ｂが実装されており、ケーブル１３２ｂから供給された電圧により、常時稼動している。また、このケーブル１３２ｂを介して、図８に示す如く、開錠検知信号を主制御回路６０に供給することとなる。
【００９４】
この投光部１５２は、通電状態のときには、光線が投光されている。また、受光部１５４は、通電状態のときには、投光部１５２から投光された光線を受光することとなる。また、投光部１５２及び受光部１５４の表面には、遮光体１５８及び１６０が配置されている。この遮光体１５８及び１６０には、それぞれ開口１５８ａ及び１６０ａが設けられており、投光部１５２からの光線の投光角度を制限するとともに、受光部１５４への光線の受光角度を制限する。これにより、図６（Ａ）及び図６（Ｂ）に示す如く、その前方に配置される固定板１２６の反射部１２６ｇが変位することにより、投光部１５２から投光された光線を受光部１５４に導くか否かが決定されることとなる。
【００９５】
これにより、「前記投光部及び前記受光部は、反射式の光学式センサ」であるので、配線処理、組立処理、メンテナンス処理等、煩雑な組立作業、調整作業をすることなく優れた品質の遊技機が提供できる。これは、一般的の反射型光学式センサは、投光センサと受光センサとを一体に設けられていることが多くあるため、投光センサと受光センサとの位置調節をする必要がなく、本体部若しくは扉に対し、単に位置決めをすることのみでよく、容易に作業を行うことができるのである。
【００９６】
尚、本実施形態における開錠検知センサ１３２では、反射型の光学センサを用いたが、本発明はこれに限らず、開錠を検知することができるものであれば、反射型の光学センサでなくとも問題なく、投光部からの光線を反射させることなく受光する光学センサであってもよい。
【００９７】
尚、この「投光部１５２」は、請求項に記載された「投光部」に相当し、「受光部１５４」は、請求項に記載された「受光部」に相当する。
【００９８】
［ロック機構の動作説明］
図７は、上述したロック機構１０６を示す正面図である。
【００９９】
まず、ベース板１２２、動力伝達板１２４、固定板１２６、引張コイルバネ１２８、押圧板１３０は、図７（Ａ）に示す如く配置されている。
【０１００】
この状態では、固定板１２６は、切欠き１２２ｂ及び１２６ｃの縁部により、ロック片１１０を固定させており、扉１０４を閉じた状態で固定している。
【０１０１】
また、引張コイルバネ１２８は、固定板１２６を時計方向とは逆方向に弾性力を加え、動力伝達板１２４を時計方向に弾性力を加えている。
【０１０２】
固定板１２６は、その係合突起１２６ｂが動力伝達板１２４の切欠き１２４ｂに係合しており、引張コイルバネ１２８の弾性力に反して固定されている。
【０１０３】
また、動力伝達板１２４は、その被押圧部１２４ｄが押圧板１３０の押圧部１３０ｂに係止されており、引張コイルバネ１２８の弾性力に反して、固定されている。
【０１０４】
そして、鍵が鍵穴３１に挿入され、回動されることにより、図７（Ｂ）に示す如く、押圧板１３０は、その開口１３０ａを中心として回動を開始する。この回動に応じて、押圧板１３０の押圧部１３０ｂは、動力伝達板１２４の被押圧部１２４ｄを押圧する。これにより、動力伝達板１２４は、引張コイルバネ１２８の弾性力に反して、時計方向と逆方向に回動を開始する。
【０１０５】
これにより、固定板１２６は、その係合突起１２６ｂが動力伝達板１２４の切欠き１２４ｂに係合することなく、引張コイルバネ１２８の弾性力により、時計方向と逆方向に回動を開始し、図７（Ｃ）に示す如く、ロック片１１０が固定されることなく、扉１０４が固定されていない開錠状態に移行することとなる。
【０１０６】
更には、反射部１２６ｇがベース板１２２に形成された開口１２２ｃを露呈させることとなり、図６（Ｂ）に示す如く、投光部１５２から投光された光線は、反射部１２６ｇにより反射されることなく、受光部１５４により受光されることはない。このため、開錠された旨の開錠検知信号がケーブル１３２ｂを介して、主制御回路６０に供給されることとなる。尚、この後には、押圧板１３０は、時計方向に回動し、図７（Ａ）の位置に変位し、更には、動力伝達板１２４は、引張コイルバネ１２８の弾性力により、時計方向に回動する。
【０１０７】
また、扉１０４を施錠する場合には、ロック片１１０により、固定板１２６が時計方向に押圧される。そして、固定板１２６は、引張コイルバネ１２８の弾性力に反して、時計方向に回動させることにより、その係合突起１２６ｂが動力伝達板１２４の上端縁を押圧する。これにより、動力伝達板１２４が回動し、固定板１２６の係合突起１２６ｂが動力伝達板１２４の切欠き１２４ｂに係合することとなる。これにより、図７（Ａ）に示す如く、ロック片１１０が固定板１２６の切欠き１２６ｃに係入され、扉１０４が閉じた状態で固定されることとなる。
【０１０８】
このように、ロック機構は、「前記ロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備え、前記投光部から発せられる光線を前記受光部により受光されるか否かにより、前記被検知部の動作の検知を行い、当該被検知部の動作の検知の結果に基づいて、前記装着体が前記本体部に施錠又は開錠されたことを検知可能とする」ので、装着体、例えば、扉が多少変位しても、検知センサが扉の開錠又は施錠を検知するため、誤動作を生ずる可能性を低下させ、高い確率で不正を防止することができ、セキュリティを高めることができる。また、遊技場の係員にとっての煩雑な作業が少なくなる。更には、不正を行った遊技者を捕まえる可能性が高まる。
【０１０９】
また、多少、遊技機を叩いたり、蹴ったりしても、その衝撃により、検知センサが誤動作することが少なく、投光センサ、受光センサの位置がずれることも少なくなる。これにより、位置調節等、煩雑な作業をすることなく、セキュリティを高めることができる。また、上述した衝撃により、又は、無理に位置調節を行うことにより、製品の寿命を縮める可能性は低下する。
【０１１０】
［パチンコ遊技機の制御部の構成］
本発明の実施形態であるパチンコ遊技機の制御回路を示すブロック図を図８に示す。
【０１１１】
上述した発射ハンドル２６は、主制御回路６０のインターフェイス回路群６２に接続され、インターフェイス回路群６２は、入出力バス６４に接続されている。発射ハンドル２６の回動角度を示す角度信号は、インターフェイス回路群６２により所定の信号に変換された後、入出力バス６４に供給される。入出力バス６４は、中央処理回路（以下、ＣＰＵと称する）６６にデータ信号又はアドレス信号が入出力されるようになされている。また、ＣＰＵ６６の内部には、後述するタイマ（図示せず）が備えられている。
【０１１２】
尚、「ＣＰＵ６６」は、請求項に記載された「通信制御部」、「開錠情報記憶制御部」に相当し、更には、本明細書中に記載された「報知制御部」に相当する。
【０１１３】
また、発射ハンドル２６に備えられたタッチセンサ２９も、主制御回路６０のインターフェイス回路群６２に接続されている。タッチセンサ２９は、遊技者の手が触れたことを検出する触接検出信号をインターフェイス回路群６２に発した後、入出力バス６４に供給される。
【０１１４】
また、上述したインターフェイス回路群６２には、入賞口の各々に対して設置された球検知センサ４２も接続されており、遊技球が上述した大入賞口３８、始動口４４、一般入賞口５４ａ〜５４ｄ、特別入賞口５６ａ〜５６ｄ及び排出口５３に入球したときには、球検知センサ４２は、検出信号をインターフェイス回路群６２に供給する。更に、インターフェイス回路群６２には、球通過検出器５５も接続されており、球通過検出器５５は遊技球がその近傍を通過したことを検出したときには、検出信号をインターフェイス回路群６２に供給する。
【０１１５】
更にまた、上述したインターフェイス回路群６２には、上述した開錠検知センサ１３２が接続されており、インターフェイス回路群６２は、この開錠検知センサ１３２から発せられた開錠信号を受け取り、開錠信号を所定の信号に変換し、入出力バス６４を介して、ＣＰＵ６６に所定の信号を供給することとなる。
【０１１６】
尚、本実施形態における開錠検知センサ１３２は、開錠されている旨の信号を供給するものであったが、本発明はこれに限らず、施錠されている旨の信号を供給するものであってもよく、更には、開錠されたことと施錠されたことの両者を検知するセンサであってもよい。
【０１１７】
上述した入出力バス６４には、ＲＯＭ（リード・オンリー・メモリ）６８、ＥＰＲＯＭ６９及びＲＡＭ（ランダム・アクセス・メモリ）７０も接続されている。ＲＯＭ６８は、パチンコ遊技機の遊技全体の流れを制御する制御プログラムを記録する。更に、ＲＯＭ６８は、制御プログラムを実行するための初期データや、装飾ランプ３６の点滅動作パターンを制御するプログラムや、表示装置３２における表示制御をするプログラム等を記憶する。
【０１１８】
また、本実施形態におけるプログラムは、具体的には、下記のようなものを含む。
【０１１９】
「前記投光部から発せられる光線を前記受光部により受光されるか否かにより、前記被検知部の動作の検知を行わしめる」プログラム。
【０１２０】
「ＲＯＭ６８」に記録されたプログラムは、請求項に記載された「通信制御部」、「開錠情報記憶制御部」に相当し、更には、本明細書中に記載された「報知制御部」に相当する。
【０１２１】
また、本実施形態でのプログラムは、ＲＯＭ６８に記録されていたが、ハードディスク装置、ＣＤ−ＲＯＭ及びＤＶＤ等の記憶媒体に記録されていればよい。また、これらのプログラムは、予め記録されているものでなくとも、電源投入後にＲＡＭ７０等に記録されるものでもよい。更にまた、プログラムの各々が別々の記憶媒体に記録されていてもよい。
【０１２２】
また、ＥＰＲＯＭ６９は、フラッシュＲＯＭ、ＥＥＰＲＯＭ等、電気的に書き込み、消去可能なＲＯＭであり、通電状態でなくともそのデータを保存した状態に保持することができる。このＥＰＲＯＭ６９は、上述したプログラムにより電波を検知した場合には、その電波を検知した旨の電波検出履歴データを記憶する。尚、この「ＥＰＲＯＭ６９」は、請求項に記載された「記憶部」に相当する。
【０１２３】
この開錠履歴データは、後述する如き図１２のような開錠履歴情報を記録するデータベースを格納するものであってもよく、その際には、パチンコ遊技機１０のみの開錠履歴情報となる。
【０１２４】
また、ＲＡＭ７０は、上述したプログラムで使用するフラグや変数の値を記憶する。
【０１２５】
また、上述したインターフェイス回路群６２には、局番号スイッチ３７が接続されている。局番号スイッチ３７は、４個のロータリースイッチから構成されている。また、このロータリースイッチの各々は、「０」〜「Ｆ」を示すものである。局番号スイッチ３７は、後述する通信用インターフェイス回路７４における通信局番号を示すものであり、局番号信号をインターフェイス回路群６２に供給する。また、「通信用インターフェイス回路７４」は、請求項に記載された「遊技盤通信手段」に相当する。
【０１２６】
更に、入出力バス６４には、インターフェイス回路群７２も接続されている。インターフェイス回路群７２には、スピーカー４６、発射モータ２８、装飾ランプ３６、ソレノイド４８及び５７、払い出し装置５６、表示装置４３、４５、４７、表示装置３２に画像を表示させるための表示制御装置２００、が接続されており、インターフェイス回路群７２は、ＣＰＵ６６における演算処理の結果に応じて上述した装置の各々を制御すべく駆動信号や駆動電力、各種信号を供給する。
【０１２７】
尚、「装飾ランプ３６」、「スピーカー４６」、「表示装置３２」は、本明細書中に記載された「報知部」に相当する。
【０１２８】
更にまた、入出力バス６４には、乱数を発生されるための乱数発生部６５が接続されている。乱数を発生させるための命令がＣＰＵ６６から乱数発生部６５へ発せられたときには、乱数発生部６５は所定の範囲の乱数を発生させ、その乱数の値を示す信号を入出力バス６４に発するのである。ＣＰＵ６６は、この発生された乱数により遊技の進行状況を決定する。
【０１２９】
尚、本実施形態におけるパチンコ遊技機１０では、乱数を発生させる乱数発生部６５が備えられたものであったが、本発明はこれに限らず、乱数発生部６５を特別設けることなく、ＣＰＵ６６がその乱数を発生させるものであってもよく、更には、乱数発生部６５を備え、ＣＰＵ６６が、乱数発生部６５により発生された乱数に基づいて、内部抽選データを生成するものであってもよい。
【０１３０】
更にまた、入出力バス６４には、通信用インターフェイス回路７４も接続されており、通信用インターフェイス回路７４は、公衆電話回線網やローカルエリアネットワーク（ＬＡＮ）等の通信回線を介して、管理サーバ８０等との通信を行うためのものである。
【０１３１】
尚、「通信用インターフェイス回路７４」は、請求項に記載された「通信部」に相当する。
【０１３２】
更にまた、インターフェイス回路群７２には、表示制御装置２００も接続されており、表示制御装置２００は、主制御回路６０から発せられる画像表示命令に基づいて表示制御装置２００に接続されている表示装置３２を駆動するための駆動信号を発する。
【０１３３】
［端末装置の構成］
上述した端末装置９６の構成を示すブロック図を図９に示す。ここでは端末装置９６Ａについて説明するが、他の端末装置９６Ａ、９６Ｂ、．．．．．．も同様の構成を有するものとする。
【０１３４】
端末装置９６Ａは、図９に示すように、入出力バス２１６に、ＣＰＵ２０２、ＲＯＭ２０４、ＥＰＲＯＭ２０６、ＲＡＭ２０８、表示部２１０、操作部２１２、通信用インターフェイス回路２１４が接続されている。
【０１３５】
ＥＰＲＯＭ２０６には、後述するプログラム、データベース等が記録される。通信用インターフェイス回路２１４は、図９に示した如く、公衆電話回線網やローカルエリアネットワーク（ＬＡＮ）等の通信回線を介して管理サーバ８０と通信可能に接続される。更には、ＥＰＲＯＭ２０６は、外部からダウンロードされたソフトウェアを記録することができる。
【０１３６】
［サーバの構成］
上述した管理サーバ８０の構成を示すブロック図を図１０に示す。ここでは管理サーバ８０について説明するが、他の外部サーバ８１等も同様の構成を有するものとする。
【０１３７】
管理サーバ８０は、図１０に示すように、入出力バス９４に、ＣＰＵ８２、ＲＯＭ８４、ＲＡＭ８６、ハードディスクドライブ８８、通信用インターフェイス回路９０、局番号スイッチ９２が接続されている。
【０１３８】
ハードディスクドライブ８８には、後述するプログラム、データベース等が記録される。通信用インターフェイス回路９０は、公衆電話回線網やローカルエリアネットワーク（ＬＡＮ）等の通信回線を介して複数のパチンコ遊技機、外部サーバ８１、端末装置９６と通信可能に接続される。特に、複数のパチンコ遊技機には、局番号スイッチ９２により当該通信局番号が設定される。更には、ハードディスクドライブ８８は、外部からダウンロードされたソフトウェアを記録することができる。
【０１３９】
［サーバの制御プログラム及び画面］
上述したハードディスクドライブ８８に記録されているプログラムには、パチンコ遊技機１０との通信をするためのプログラム、パチンコ遊技機１０から発せられた情報を受信するためのプログラム、外部サーバ８１、端末装置９６との通信を行うためのプログラム等が記録されている。尚、外部サーバ８１の場合には、管理サーバ８０からの情報を受信するプログラム等が記録されている。
【０１４０】
また、本実施形態におけるプログラムは、「前記装着体が開放自在な状態に至った旨の開錠情報の記憶を行わしめる」プログラムや、「前記記憶部に開錠情報が記憶されたときには、前記装着体が開放自在な状態に至った旨の報知を行わしめる」プログラムを含んでいる。
【０１４１】
更には、「サーバにおける記憶部に開錠情報が記憶されたことを契機に、通信回線網を通じて、サーバ以外の携帯電話、ノートパソコン、ＰＤＡ、ポケットベル等、持ち運びの便利な携帯端末装置に報知を行わしめる」プログラムをも含んでいる。
【０１４２】
尚、本実施形態における管理サーバ８０では、少なくとも上述した如きプログラムが記録されていたが、本発明はこれに限らず、遊技を制御するプログラムや、可変表示ゲームを制御するプログラム等を含むものであってもよい。
【０１４３】
更には、管理サーバ８０におけるハードディスクドライブ８８には、各種のデータベースが記録されている。尚、管理サーバ８０におけるハードディスクドライブ８８に記録されているデータベースと、外部サーバ８１におけるハードディスクドライブ８８に記録されているデータベースとは異なり、管理サーバ８０におけるハードディスクドライブ８８には、図１１から図１３に示すデータベースが記録され、外部サーバ８１におけるハードディスクドライブ８８には、図１４に示すデータベースが記録される。
【０１４４】
管理サーバ８０に記録されている図１１に示すデータベースは、局番号データベースであり、その項目は、局番号データ、台番号データ、機種データを含む。この局番号データベースは、パチンコ遊技機１０の各々と、管理サーバ８０と、が通信するために用いるものであり、局番号データに対して、台番号データ、機種データが設定可能となる。
【０１４５】
また、図１２に示すデータベースは、開錠履歴データベースであり、その項目は、日時データ、台番号を含む。この開錠履歴データベースは、パチンコ遊技機１０の開錠履歴情報であり、累積的に記録されることとなる。
【０１４６】
更に、図１３に示すデータベースは、通知メールデータベースであり、その項目は、番号データ、識別情報データ、種別データ、メールアドレスデータ、通報権を含む。この通知メールデータベースは、パチンコ遊技機１０の各々における開錠情報を、管理サーバ８０を除く外部サーバ８１等を含むサーバ、端末装置９６に通知することを設定できる。
【０１４７】
一方、外部サーバ８１に記録されている図１４に示すデータベースは、ホールデータベースであり、その項目は、番号データ、ホール名称データ、メールアドレスデータ、住所データを含むものである。このホールデータベースは、管理サーバ８０から供給された情報等を外部サーバ８１が受け取り、その旨を報知する場合には、そのホールデータベースを用いることにより、通知、通報が容易となる。
【０１４８】
また、本実施形態において、パチンコ遊技機１０のみを管理サーバ８０に接続した構成としたが、本発明はこれに限らず、スロット遊技機のみを接続した構成としてもよく、更には、単一種類の遊技機を接続したものでなくとも、パチンコ遊技機等の遊技機を管理サーバ８０に接続した構成としてもよい。
【０１４９】
［パチンコ遊技機の動作］
上述した主制御回路６０において実行されるパチンコ遊技機１０、管理サーバ８０、外部サーバ８１、端末装置９６を制御するサブルーチンを図１５に示す。尚、図１５に示すサブルーチンは、予め実行されているメインプログラムから所定のタイミングで呼び出されて実行されるものである。また、パチンコ遊技機１０で行われる遊技内容は、所定のタイミングで呼び出されるサブルーチンにより制御されることとなる。
【０１５０】
以下においては、パチンコ遊技機１０、管理サーバ８０、外部サーバ８１、端末装置９６は予め起動されており、上述したＣＰＵ６６において用いられる変数は所定の値に初期化され、定常動作しているものとする。
【０１５１】
最初に、パチンコ遊技機１０では、図１５に示す如く、開錠されたか否かを判断する（ステップＳ１０１）。この処理において、開錠検知センサ１３２により開錠された旨の開錠検知信号が発せられたときには、ＣＰＵ６６は、開錠検知信号を受け取ったと判別し、ステップＳ１０２に処理を移す。また、ＣＰＵ６６は、開錠検知センサ１３２により開錠された旨の開錠検知信号が発せられないときには、開錠検知信号を受け取ってはいないと判別し、本サブルーチンを終了させる。
【０１５２】
次いで、パチンコ遊技機１０では、開錠情報の送信処理を実行する（ステップＳ１０２）。この処理において、ＣＰＵ６６は、インターフェイス回路群６２、入出力バス６４を介し、局番号スイッチ９２から供給される局番号信号を受け取り、その局番号信号に基づいて、局番号データを生成する。また、ＣＰＵ６６は、予めＲＡＭ７０に記録された通信先の管理サーバ８０を示す局番号データを読み出す。そして、ＣＰＵ６６は、上述した如く、パチンコ遊技機１０を示す局番号データと、管理サーバ８０を示す局番号データと、含む開錠情報を生成し、入出力バス６４、通信用インターフェイス回路７４を介し、開錠情報を管理サーバ８０に供給する。この処理が終了した場合には、直ちに本ステップを終了させる。
【０１５３】
一方、管理サーバ８０では、開錠情報の受信処理を実行する（ステップＳ２０１）。この処理において、ＣＰＵ８２は、通信用インターフェイス回路９０、入出力バス９４を介して開錠情報を受け取り、ＲＡＭ８６に記録する。この処理が終了した場合には、ステップＳ２０２に処理を移す。
【０１５４】
次いで、管理サーバ８０では、開錠情報の記録処理を実行する（ステップＳ２０２）。この処理において、ＣＰＵ８２は、ステップＳ２０１の処理によりＲＡＭ７０に記録された開錠情報に含まれる局番号データと、図１１に示す局番号データベースとに基づいて、ハードディスクドライブ８８から台番号データを読み出し、ＲＡＭ８６に記録する。また、ＣＰＵ６６は、ＣＰＵ８２に内蔵されたタイマから日時データを読み出し、ＲＡＭ８６に記録する。そして、ＣＰＵ８２は、これらの台番号データと、日時データとを図１２に示す開錠履歴データベースに累積的に記録する。これにより、開錠した旨を管理サーバ８０に累積的に記録することができる。この処理が終了した場合には、ステップＳ２０３に処理を移す。
【０１５５】
次いで、管理サーバ８０では、通知メール生成処理を実行する（ステップＳ２０３）。この処理において、ＣＰＵ８２は、ステップＳ２０１の処理によりＲＡＭ８６に記録された開錠情報と、ハードディスクドライブ８８に記録された各種データベースとに基づいて通知メールを生成する。
【０１５６】
尚、この通知メールを生成するためには、その通知先である端末装置９６の種別に応じて生成され、端末装置９６が、携帯電話、ＰＤＡ、ノート型パーソナルコンピュータ等である場合と、ポケットベルである場合とに分けることができる。これは、ＣＰＵ８２は、図１３に示す通知メールデータベースに記録されたデータに基づいて、その通知先の端末装置の種別を判断することとなる。また、この通知メールデータベースに記録されている全てのデータに対して、開錠された旨の通知メールを送信することとなる。尚、ＣＰＵ８２は、図１３に示す通知メールデータベースに格納された全ての端末装置９６に送信すべく、全ての端末装置９６に対する通知データを生成することとなる。
【０１５７】
例えば、番号データが「０００３」である端末装置は、ホール用の携帯電話であり、その場合には、図１６（Ａ）に示す如き画像を表示させることとなる。また、通知メールデータベースの通知権データが「○」である場合には、図１６（Ａ）に示す如く、外部サーバ８１に通知するか否かを決定するデータを通知することとなる。これにより、管理サーバ８０近傍に係員等を配置することなく、遠隔操作することができる。
【０１５８】
具体的には、図１６（Ａ）に示す如く、開錠された旨のデータ、開錠されたパチンコ遊技機の台番号を示すデータ、「××○○」の如く、開錠されたパチンコ遊技機の機種を示すデータが必要となる。このため、ＣＰＵ６６は、ＲＡＭ７０から開錠情報を読み出し、その開錠情報に含まれる局番号データと、図１１に示す局番号データベースと、に基づいて、台番号データ、機種データを読み出し、ＲＡＭ８６に記録する。これにより、携帯電話等に送信するための通知メール用のデータを生成することができる。
【０１５９】
一方、番号データが「００１８」である端末装置は、ホール用のポケットベルであり、その場合には、図１６（Ｂ）に示す如き画像を表示させることとなる。
【０１６０】
具体的には、図１６（Ｂ）に示す如く、開錠された旨のデータ、台番号を示す台番号データが必要となる。このため、ＣＰＵ６６は、ＲＡＭ７０から開錠情報を読み出し、その開錠情報に含まれる局番号データと、図１１に示す局番号データベースと、に基づいて、台番号データを読み出し、ＲＡＭ８６に記録する。これにより、ポケットベルに送信するための通知メール用のデータを生成することができる。この処理が終了した場合には、ステップＳ２０４に処理を移す。
【０１６１】
次いで、管理サーバ８０では、通知メール送信処理を実行する（ステップＳ２０４）。この処理において、ＣＰＵ８２は、ステップＳ２０３の処理により生成された通知メール用データを、通知メールデータベースのメールアドレスに基づいて、入出力バス９４、通信用インターフェイス回路９０、を介して、図１３に示す通知メールデータベースに格納された全ての端末装置９６に対して送信する。この処理が終了した場合には、ステップＳ２０５に処理を移す。
【０１６２】
一方、端末装置９６では、通知メールの受信処理を実行する（ステップＳ３０１）。この処理において、ＣＰＵ２０２は、通信用インターフェイス回路２１４、入出力バス２１６を介して、通知メールを受信し、ＲＡＭ２０６に記録する。この処理が終了した場合には、ステップＳ３０２に処理を移す。
【０１６３】
次いで、端末装置９６では、開錠情報報知処理を実行する（ステップＳ３０２）。この処理において、ＣＰＵ２０２は、ＲＡＭ２０６に記録された通知メールに基づいて、図１６（Ａ）若しくは図１６（Ｂ）に示す如く、表示部２１０に画像を表示させることとなる。この処理が終了した場合には、ステップＳ３０３に処理を移す。
【０１６４】
次いで、端末装置９６では、通報許可情報送信処理を実行する（ステップＳ３０３）。この処理において、ＣＰＵ２０２は、操作部２１２の操作に基づいて、通報をするか否かを判断することとなる。ユーザは、図１６（Ａ）に示す如く、通報するか否かを決定することができ、その操作部２１２の操作を行うのである。ＣＰＵ２０２は、操作部２１２の操作に基づいて、通報をすると判別した場合には、通報許可情報を生成し、入出力バス２１６、通信用インターフェイス回路２１４を介して、管理サーバ８０に通報許可情報を供給することとなり、通報をすると判別した場合には、直ちに本サブルーチンを終了させる。
【０１６５】
一方、管理サーバ８０では、通報許可情報受信処理を実行する（ステップＳ２０５）。この処理において、ＣＰＵ８２は、通信用インターフェイス回路９０、入出力バス９４を介して、通報許可情報を受け取り、ＲＡＭ８６に記録する。この処理が終了した場合には、ステップＳ２０６に処理を移す。
【０１６６】
次いで、管理サーバ８０では、通報フラグがＯＮであるか否かを判断する（ステップＳ２０６）。この処理において、ＣＰＵ８２は、ＲＡＭ８６に記録された通報フラグがＯＮである、即ち、「０１」であるか否かを判断することとなる。ＣＰＵ８２は、ＲＡＭ８６に位置付けられた通報フラグを読み出し、その通報フラグに記録されたデータが「０１」であると判別した場合には、ステップＳ２０７に処理を移し、通報フラグに記録されたデータが「０１」ではないと判別した場合には、直ちに本サブルーチンを終了させる。
【０１６７】
次いで、管理サーバ８０では、通報メールの送信処理を実行する（ステップＳ２０７）。この処理において、ＣＰＵ２０２は、通報メール用のデータ生成することとなる。
【０１６８】
この通報メール用のデータとは、図１６（Ｃ）に示す如く、開錠の検知が行われた日時データ、遊技場の場所データ及び名称データ、開錠さえた台番号データ、通報メールを送信した日時データ等が報知される。
【０１６９】
このため、ＣＰＵ８２は、ハードディスクドライブ８８に位置付けられた開錠履歴データベースに記録された開錠を示す日時データ、台番号データ、そして、ハードディスクドライブ８８に記録された遊技場コードを読み出し、ＲＡＭ８６に記録す。また、ＣＰＵ８２は、ＣＰＵ８２に内蔵された日時データを読み出し、ＲＡＭ８６に記録する。ＣＰＵ８２は、これらのデータから通報メール用のデータを生成することとなる。
【０１７０】
そして、ＣＰＵ８２は、通知メールデータベースから、通報先であるメーカ、警察等のメールアドレスを読み出し、入出力バス９４、通信用インターフェイス回路９０を介して、通報メールを外部サーバ８１に供給することとなる。この処理が終了した場合には、直ちに本サブルーチンを終了させる。
【０１７１】
一方、外部サーバ８１では、通報メールの受信処理を実行する（ステップＳ４０１）。この処理において、ＣＰＵ８２は、通信用インターフェイス回路９０、入出力バス９４を介して、通報メールを受け取り、ＲＡＭ８６に記録する。この処理が終了した場合には、ステップＳ４０２に処理を移す。
【０１７２】
次いで、外部サーバ８１では、開錠情報の報知処理を実行する（ステップＳ４０２）。この処理において、ＣＰＵ８２は、ＲＡＭ８６により記録された通報メールに基づいて、図１６（Ｃ）に示す如く、画像を表示させることとなる。この処理が終了した場合には、直ちに本サブルーチンを終了させる。
【０１７３】
上述したステップＳ１０１及びステップＳ１０２の処理を行うことによって、上述した遊技機は、「情報の送受信を行う通信部と、前記受光部における受光の結果に基づいて、前記装着体が前記本体部に施錠された又は開錠された旨の開錠情報を前記通信部に送信させる前記通信制御部と、を備えた」ので、集中管理ができ、遊技場の管理者は素早い対応ができ、不正をしている遊技者を捕まえるケースが増加する。
【０１７４】
もちろん、「映像又は音声或いは電飾にて所定の報知が可能な報知部」と、「前記受光部における受光の結果に基づいて、前記本体部に施錠された又は開錠された旨の報知を遊技者に対して前記報知部に行わせる報知制御部」と、を備えた遊技機であってもよいが、サーバのみに不正が行われた旨の通知が行われた場合には、不正をしている遊技者に知られることがないため、不正をしている遊技者を確実に捕まえることができる。
【０１７５】
また、「情報を記憶する記憶部」と、「前記受光部における受光の結果に基づいて、前記装着体が前記本体部に施錠された又は開錠された旨の開錠情報を前記記憶部に記憶させる開錠情報記憶制御部」と、を備えた遊技機では、開錠情報が記憶されているため、遊技者が不正を行った証拠を残すことができる。
【０１７６】
また、上述したステップＳ２０１及びステップＳ２０２の処理を行うことによって、上述したサーバは、「前記遊技機におけるロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備えたものであり、かつ、前記サーバは、情報を記憶する記憶部と、前記装着体が前記本体部に施錠された又は開錠された旨の開錠情報を前記記憶部に記憶させる開錠情報制御部と、を備え、前記記憶部に前記開錠情報が記憶されたときには、前記装着体が前記本体部に施錠された又は開錠された旨の報知を行う」ので、遊技場の管理者は、扉が開放されることの検知を行うのではなく、扉が開放される前に行われる扉の開錠した場合、即ち、ロック体の変位が行われた場合には、その旨の検知を行うため、安全性がより一層高まる。
【０１７７】
また、このサーバを用いることにより、集中管理ができ、遊技場の管理者は素早い対応ができ、不正をしている遊技者を捕まえるケースが増加する。
【０１７８】
更には、上述したステップＳ２０３及びステップＳ２０４の処理を行うことによって、上述したサーバは、サーバにおける記憶部に開錠情報が記憶されたことを契機に、通信回線網を通じて、サーバ以外の携帯電話、ノートパソコン、ＰＤＡ、ポケットベル等、持ち運びの便利な携帯端末装置に報知することにより、不正行為を行っている遊技者を、遊技場にいる係員により即座に捕まえることができる。
【０１７９】
また、上述したステップＳ２０７の処理を行うことによって、携帯端末装置以外にも、サーバの設置された遊技場を除く第三機関に報知することにより、結果として警察に報知するというような機能を有することにより、遊技場の負担を軽減することもできる。特に、治安の悪い地域にある遊技場では、遊技場の管理者、係員では太刀打ちができないこともあり、警察の力が必要となり、自動的に報知を行うことで不正の防止、不正を行った遊技者を捕まえる時間を早めることができる。
【０１８０】
尚、本実施形態における遊技機では、受光部及び投光部を、本体部若しくは扉に開錠検知センサを設けたものであったが、本発明はこれに限らず、本体部及び扉に、受光部及び投光部のいずれかを設けたものであってもよい。
【０１８１】
また、本実施形態においては、反射型の開錠検知センサを備えたが、本発明はこれに限らず、投光部から投光された光線の投光軸に対して、反射させることなく、受光部を備えたものであってもよい。
【０１８２】
更には、本実施形態においては、固定板１２６の反射部１２６ｇが投光部１５２から投光される光線を受光部１５４に向かって反射させることによりロック機構１０６を開錠若しくは施錠を検知させたが、本発明はこれに限らず、ロック機構１０６を開錠若しくは施錠を行うことにより変位する固定板１２６のような部材を備え、その固定板１２６のような部材を変位させることにより、投光部１５２から投光される光線を、受光部１５４に向かわせる、若しくは、受光部１５４に向かわせないようにすることにより、その変位を検知するものであればよく、例えば、反射部１２６ｇを設けることなく、投光部１５２から投光される光線を受光部１５４に向けないように遮光する部材や、開口を備え、変位することにより、投光部１５２から投光される光線を受光部１５４に向かわせる部材であってもよい。
【０１８３】
尚、本実施形態においては、扉１０４を本体部１０２に軸着した遊技機１０であったが、本発明はこれに限らず、軸着されなくとも、装着されておればよく、更には、着脱可能に装着されているものであってもよい。例えば、リサイクル用に製造された遊技機においては、交換可能なユニットが装着されており、それらのユニットを施錠し、そのユニットの開錠や、本体部からの開放、を検知するものであってもよく、もちろん、リサイクル用でなくとも、施錠、若しくは、開放を検知するものであればよい。
【０１８４】
また、本実施形態においては、本体部１０２の前面のうちほぼ全てを覆う扉１０４の開錠、若しくは、開放を検知したが、本発明はこれに限らず、本体部の前面を覆うものでなくともよく、更には、ある面の一部を覆うようなものであってもよい。
【０１８５】
【発明の効果】
本発明によれば、「前記ロック機構は、前記本体部若しくは前記装着体のいずれか一方に設けられた係止部と、前記本体部若しくは前記装着体のいずれかであり、かつ、前記係止部とは異なる他方に設けられ、前記係止部に係止されることにより前記装着体を施錠し、前記係止部から脱することにより前記装着体を開錠する変位可能なロック体と、前記本体部若しくは前記装着体のいずれか一方に設けられた投光部と、前記本体部若しくは前記装着体のいずれか一方に設けられた受光部と、前記ロック体の変位に追随して変位する被検知部と、を備え、前記投光部から発せられる光線を前記受光部により受光されるか否かにより、前記被検知部の動作の検知を行い、当該被検知部の動作の検知の結果に基づいて、前記装着体が前記本体部に施錠又は開錠されたことを検知可能とする」ので、装着体、例えば、扉が多少変位しても、検知センサが扉の開錠又は施錠を検知するため、誤動作を生ずる可能性を低下させ、高い確率で不正を防止することができ、セキュリティを高めることができる。また、遊技場の係員にとっての煩雑な作業が少なくなる。更には、不正を行った遊技者を捕まえる可能性が高まる。
【０１８６】
また、多少、遊技機を叩いたり、蹴ったりしても、その衝撃により、検知センサが誤動作することが少なく、投光センサ、受光センサの位置がずれることも少なくなる。これにより、位置調節等、煩雑な作業をすることなく、セキュリティを高めることができる。また、上述した衝撃により、又は、無理に位置調節を行うことにより、製品の寿命を縮める可能性は低下する。
【図面の簡単な説明】
【図１】ネットワークを介してサーバと遊技機とが接続された構成とした場合における概略を示す図である。
【図２】本発明によるパチンコ遊技機の概観図である。
【図３】本発明によるパチンコ遊技機の遊技盤面の拡大正面図である。
【図４】本発明によるパチンコ遊技機の概観図である。
【図５】本発明によるロック機構の概観図である。
【図６】本発明による開錠検知センサの断面図である。
【図７】本発明によるロック機構の正面図である。
【図８】本発明によるパチンコ遊技機の主制御回路のブロック図である。
【図９】本発明による端末装置の主制御回路のブロック図である。
【図１０】本発明によるサーバの主制御回路のブロック図である。
【図１１】本発明によるサーバにおいて記録されているデータベースを示す概略図である。
【図１２】本発明によるサーバにおいて記録されているデータベースを示す概略図である。
【図１３】本発明によるサーバにおいて記録されているデータベースを示す概略図である。
【図１４】本発明によるサーバにおいて記録されているデータベースを示す概略図である。
【図１５】本発明によるパチンコ遊技機、サーバ、端末装置等において実行される制御処理のフローチャートを示す図である。
【図１６】本発明による端末装置の画面表示例を示す概略図である。
【符号の説明】
１０　パチンコ遊技機
３１　鍵穴
６０　主制御回路
６２、７２　インターフェイス回路群
６４、９４、２１６　入出力バス
６６、８２、２０２　ＣＰＵ
６８、８４、２０４　ＲＯＭ
６９、２０６　ＥＰＲＯＭ
７０、８６、２０８　ＲＡＭ
７４、９０、２１４　通信用インターフェイス回路
８０　管理サーバ
８１　外部サーバ
８８　ハードディスクドライブ
９６　端末装置
１０２　本体部
１０４　扉
１０６　ロック機構
１１０　ロック片
１１２　被ロック部
１２２　ベース板
１２４　動力伝達板
１２６　固定板
１２８　引張コイルバネ
１３０　押圧板
１３２　開錠検知センサ
１４０　鍵機構
１５２　投光部
１５４　受光部
【図１】
2004041671.tif 000003
【図２】
2004041671.tif 000004
【図３】
2004041671.tif 000005
【図４】
2004041671.tif 000006
【図５】
2004041671.tif 000007
【図６】
2004041671.tif 000008
【図７】
2004041671.tif 000009
【図８】
2004041671.tif 000010
【図９】
2004041671.tif 000011
【図１０】
2004041671.tif 000012
【図１１】
2004041671.tif 000013
【図１２】
2004041671.tif 000014
【図１３】
2004041671.tif 000015
【図１４】
2004041671.tif 000016
【図１５】
2004041671.tif 000017
【図１６】
2004041671.tif 000018